(57)【要約】【課題】自己完結型の圧縮静止画データを用いて擬似的な高速チャンネル切換を実現する。【解決手段】受信装置１００は、ユーザにより選択されている一のチャンネルに対応する圧縮動画データを受信する第１受信部１１１と、複数のチャンネルに対応する自己完結型の圧縮静止画データを受信する第２受信部１２１と、第２受信部１２１により受信された複数の自己完結型の圧縮静止画データを記憶する記憶部１２３と、ユーザ操作に応じてチャンネル切換が発生した場合に、チャンネル切換後のチャンネルに対応する自己完結型の圧縮静止画データを記憶部１２３から取得する取得部１３１と、第１受信部１１１により受信されたチャンネル切換後のチャンネルに対応する圧縮動画データを復号して表示装置１５０に表示するまでに、取得部１３１により取得された自己完結型の圧縮静止画データを復号して表示装置１５０に表示させる表示制御部１３２と、を備える。【選択図】図２
2010050644.tif 000002
【特許請求の範囲】
【請求項１】
ユーザにより選択されている一のチャンネルに対応する圧縮動画データを受信する第１受信部と、
複数のチャンネルに対応する自己完結型の圧縮静止画データを受信する第２受信部と、
前記第２受信部により受信された複数の前記自己完結型の圧縮静止画データを記憶する記憶部と、
ユーザ操作に応じてチャンネル切換が発生した場合に、チャンネル切換後のチャンネルに対応する前記自己完結型の圧縮静止画データを前記記憶部から取得する取得部と、
前記第１受信部により受信されたチャンネル切換後のチャンネルに対応する圧縮動画データを復号して表示装置に表示するまでに、前記取得部により取得された自己完結型の圧縮静止画データを復号して表示装置に表示させる表示制御部と、
を備える受信装置。
【請求項２】
前記第２受信部は、前記複数のチャンネルに対応する自己完結型の圧縮静止画データを所定の周期で順次に受信し、
前記記憶部は、前記第２受信部により受信された前記自己完結型の圧縮静止画データを、対応するチャンネルの記憶している前記自己完結型の圧縮静止画データに上書きする、請求項１に記載の受信装置。
【請求項３】
前記第２受信部は、ユーザにより選択されている一のチャンネル以外のチャンネルに対応する自己完結型の圧縮静止画データを受信する、請求項１および２に記載の受信装置。
【請求項４】
ユーザにより選択されている一のチャンネルに対応する圧縮動画データを受信するステップと、
複数のチャンネルに対応する自己完結型の圧縮静止画データを受信するステップと、
受信された複数の前記自己完結型の圧縮静止画データを記憶部に記憶するステップと、
ユーザ操作に応じてチャンネル切換が発生した場合に、チャンネル切換後のチャンネルに対応する前記自己完結型の圧縮静止画データを前記記憶部から取得するステップと、
前記第１受信部により受信されたチャンネル切換後のチャンネルに対応する圧縮動画データを復号して表示装置に表示するまでに、前記取得部により取得された自己完結型の圧縮静止画データを復号して前記表示装置に表示させるステップと、
を含む受信方法。
【請求項５】
コンピュータを、
ユーザにより選択されている一のチャンネルに対応する圧縮動画データを受信する第１受信部と、
複数のチャンネルに対応する自己完結型の圧縮静止画データを受信する第２受信部と、
前記第２受信部により受信された複数の前記自己完結型の圧縮静止画データを記憶する記憶部と、
ユーザ操作に応じてチャンネル切換が発生した場合に、チャンネル切換後のチャンネルに対応する前記自己完結型の圧縮静止画データを前記記憶部から取得する取得部と、
前記第１受信部により受信されたチャンネル切換後のチャンネルに対応する圧縮動画データを復号して表示装置に表示するまでに、前記取得部により取得された自己完結型の圧縮静止画データを復号して表示装置に表示させる表示制御部と、
を備える受信装置として機能させるための、プログラム。
【発明の詳細な説明】
【技術分野】
【０００１】
本発明は、受信装置、受信方法およびプログラムに関し、特に、デジタルテレビ放送を受信する受信装置、受信方法およびプログラムに関する。
【背景技術】
【０００２】
デジタルテレビ放送に対応する受信装置においては、以下の理由により、受信チャンネルの切換操作からチャンネル切換後の映像が表示されるまでに２秒程度の時間がかかっている。
【０００３】
第一に、デジタル変調されたデータの誤り訂正による時間遅延が挙げられる。通常、デジタル変調は誤り訂正効果を向上させるために、深いインターリーブ（データの送信順番入れ替え）を行っている。したがって、受信側では、データ順を元に戻した後に誤り訂正して、ＭＰＥＧ２−ＴＳ形式のデータを出力することとなる。インターリーブが深い場合には、インターリーブフレーム分のデータ量が大きくなり、その分遅延も大きくなる。
【０００４】
第二に、対象データの選択による時間遅延が挙げられる。デジタルテレビ放送では、多種データが多重化されているため、多重構造を記したデータを最初に捕捉し、当該データを解析した後に初めて所望の映像データを捕捉することが可能となる。
【０００５】
第三に、自己完結型映像フレームデータの伝送による時間遅延が挙げられる。デジタルテレビ放送においては、自己完結型映像フレームデータを捕捉後初めて、映像のデコードが可能となる。自己完結型映像フレームデータの伝送周期は通常０．５秒周期である。したがって、自己完結型映像フレームデータを捕捉するまでの時間分の遅延が生じる。
【０００６】
一方、アナログテレビ放送においては、０．５秒程度でチャンネル切換後の映像が表示される。したがって、ユーザは、デジタルテレビ放送におけるチャンネル切換時にストレスを感じるという問題があった。そこで、チャンネル切換後の無映像期間を短縮するために、切換後の復号動画を予め記憶して、チャンネル切換後に当該復号動画を表示する技術が開示されている(例えば、特許文献１)。
【０００７】
【特許文献１】特開２００７−１３８２６号公報
【発明の開示】
【発明が解決しようとする課題】
【０００８】
しかし、ユーザが視聴しているチャンネル以外の複数のチャンネルの復号動画を記憶しておくには、膨大なメモリ量が必要となるという問題があった。また、復号動画を記憶するためには、事前に圧縮データをデコードしておく必要があり、サブデコーダが必要となるという問題があった。
そこで、本発明は、上記問題に鑑みてなされたものであり、本発明の目的とするところは、自己完結型の圧縮静止画データを用いて擬似的な高速チャンネル切換を実現することが可能な、新規かつ改良された受信装置、受信方法およびプログラムを提供することにある。
【課題を解決するための手段】
【０００９】
上記課題を解決するために、本発明のある観点によれば、ユーザにより選択されている一のチャンネルに対応する圧縮動画データを受信する第１受信部と、複数のチャンネルに対応する自己完結型の圧縮静止画データを受信する第２受信部と、第２受信部により受信された複数の自己完結型の圧縮静止画データを記憶する記憶部と、ユーザ操作に応じてチャンネル切換が発生した場合に、チャンネル切換後のチャンネルに対応する自己完結型の圧縮静止画データを記憶部から取得する取得部と、第１受信部により受信されたチャンネル切換後のチャンネルに対応する圧縮動画データを復号して表示装置に表示するまでに、取得部により取得された自己完結型の圧縮静止画データを復号して表示装置に表示させる表示制御部と、を備える受信装置が提供される。
【００１０】
かかる構成により、第１受信部によりユーザにより選択されている一のチャンネルに対応する圧縮動画データが受信され、第２受信部により複数のチャンネルに対応する自己完結型の圧縮静止画データが受信されて記憶部に記憶される。そして、ユーザ操作に応じてチャンネル切換が発生した場合に、チャンネル切換後のチャンネルに対応する自己完結型の圧縮静止画データを記憶部から取得する。第１受信部により受信されたチャンネル切換後のチャンネルに対応する圧縮動画データを復号して表示装置に表示するまでに、取得部により取得された自己完結型の圧縮静止画データを復号して表示装置に表示させる。
【００１１】
これにより、自己完結型の圧縮静止画データを用いて擬似的な高速チャンネル切換を実現することが可能となる。例えば、デジタル放送受信では、チャンネル切換後、動画が表示されるまでに２秒程度かかるが、この間に事前に記憶しておいた当該チャンネルの静止画を即時表示する。これにより、素早いチャンネル切換操作を連続して行っても、予め記憶されている静止画データを表示してチャンネル切換後の放送内容の映像が把握できるようになる。
【００１２】
また、上記第２受信部は、複数のチャンネルに対応する自己完結型の圧縮静止画データを所定の周期で順次に受信し、上記記憶部は、第２受信部により受信された自己完結型の圧縮静止画データを、対応するチャンネルの記憶している自己完結型の圧縮静止画データに上書きするようにしてもよい。
【００１３】
また、上記第２受信部は、ユーザにより選択されている一のチャンネル以外のチャンネルに対応する自己完結型の圧縮静止画データを受信するようにしてもよい。
【００１４】
また、上記課題を解決するために、本発明の別の観点によれば、ユーザにより選択されている一のチャンネルに対応する圧縮動画データを受信するステップと、複数のチャンネルに対応する自己完結型の圧縮静止画データを受信するステップと、受信された複数の自己完結型の圧縮静止画データを記憶部に記憶するステップと、ユーザ操作に応じてチャンネル切換が発生した場合に、チャンネル切換後のチャンネルに対応する自己完結型の圧縮静止画データを記憶部から取得するステップと、第１受信部により受信されたチャンネル切換後のチャンネルに対応する圧縮動画データを復号して表示装置に表示するまでに、取得部により取得された自己完結型の圧縮静止画データを復号して表示装置に表示させるステップと、を含む受信方法が提供される。
【００１５】
また、上記課題を解決するために、本発明の別の観点によれば、コンピュータを、ユーザにより選択されている一のチャンネルに対応する圧縮動画データを受信する第１受信部と、複数のチャンネルに対応する自己完結型の圧縮静止画データを受信する第２受信部と、第２受信部により受信された複数の自己完結型の圧縮静止画データを記憶する記憶部と、ユーザ操作に応じてチャンネル切換が発生した場合に、チャンネル切換後のチャンネルに対応する自己完結型の圧縮静止画データを記憶部から取得する取得部と、第１受信部により受信されたチャンネル切換後のチャンネルに対応する圧縮動画データを復号して表示装置に表示するまでに、取得部により取得された自己完結型の圧縮静止画データを復号して表示装置に表示させる表示制御部と、を備える受信装置として機能させるための、プログラムが提供される。
【発明の効果】
【００１６】
以上説明したように本発明によれば、自己完結型の圧縮静止画データを用いて擬似的な高速チャンネル切換を実現することができる。
【発明を実施するための最良の形態】
【００１７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１８】
また、以下に示す順序に従って、当該「発明を実施するための最良の形態」を説明する。
〔１〕本実施形態の目的
〔２〕受信装置のハードウェア構成
〔３〕受信装置の機能構成
〔４〕受信装置の動作
【００１９】
〔１〕本実施形態の目的
まず、本発明の実施形態の目的について説明する。デジタルテレビ放送に対応する受信装置においては、以下の理由により、受信チャンネルの切換操作からチャンネルの切換後の映像が表示されるまでに２秒程度の時間がかかっている。
【００２０】
第一に、デジタル変調されたデータの誤り訂正による時間遅延が挙げられる。通常、デジタル変調は誤り訂正効果を向上させるために、深いインターリーブ（データの送信順番入れ替え）を行っている。したがって、受信側では、データ順を元に戻した後に誤り訂正して、ＭＰＥＧ２−ＴＳ形式のデータを出力することとなる。インターリーブが深い場合には、インターリーブフレーム分のデータ量が大きくなり、その分遅延も大きくなる。
【００２１】
第二に、対象データの選択による時間遅延が挙げられる。デジタルテレビ放送では、多種データが多重化されているため、多重構造を記したデータを最初に捕捉し、当該データを解析した後に初めて所望の映像データを捕捉することが可能となる。
【００２２】
第三に、自己完結型映像フレームデータの伝送による時間遅延が挙げられる。デジタルテレビ放送においては、自己完結型映像フレームデータを捕捉後初めて、映像のデコードが可能となる。自己完結型映像フレームデータの伝送周期は通常０．５秒周期である。したがって、自己完結型映像フレームデータを捕捉するまでの時間分の遅延が生じる。
【００２３】
一方、アナログテレビ放送においては、０．５秒程度でチャンネル切換後の映像が表示される。したがって、ユーザは、デジタルテレビ放送におけるチャンネル切換時にストレスを感じるという問題があった。そこで、チャンネル切換後の無映像期間を短縮するために、切換後の復号動画を予め記憶して、チャンネル切換後に当該復号動画を表示する技術が開示されている。
【００２４】
しかし、ユーザが視聴しているチャンネル以外の複数のチャンネルの復号動画を記憶しておくには、膨大なメモリ量が必要となるという問題があった。また、復号動画を記憶するためには、事前に圧縮データをデコードしておく必要があり、サブデコーダが必要となるという問題があった。
【００２５】
そこで、上記のような事情を一着眼点として、本発明の実施形態にかかる受信装置１００が創作されるに至った。本実施形態にかかる受信装置１００によれば、圧縮データのみを記憶して高速チャンネル切換を実現することが可能となる。
【００２６】
本実施形態において、受信装置１００をディスプレイ等の表示装置とは別体の装置として構成したが、かかる例に限定されない。例えば、受信装置を表示装置と一体として構成してもよい。
【００２７】
〔２〕受信装置のハードウェア構成
次に、図１を参照して、本実施形態にかかる受信装置１００のハードウェア構成について説明する。図１は、本実施形態にかかる受信装置１００のハードウェア構成を示すブロック図である。
【００２８】
図１に示したように、受信装置１００は、分配器１０２、マイクロコンピュータ１０４、主系統１１０のチューナ１１１、多重分離器１１２、音声復号器１１３、映像復号器１１４、副系統１２０のチューナ１２１、多重分離器１２２、画像メモリ１２３などを備える。
【００２９】
分配器１０２は、アンテナから入力されたデジタル放送信号を、主系統１１０と副系統１２１に分配する機能を有する。分配器１０２によって２分配されたデジタル放送信号は、主系統１１０のチューナ１１１および副系統１２０のチューナ１２１にそれぞれ入力される。
【００３０】
マイクロコンピュータ１０４は、演算処理装置および制御装置として機能し、各種プログラムに従って受信装置１００内の動作全般を制御する機能を有する。
【００３１】
主系統１１０は、ユーザにより選択されているチャンネルの映像や音声を出力する機能を有する。副系統１２０は、ユーザにより選択されているチャンネル以外のチャンネルに対応する画像を出力する機能を有する。
【００３２】
主系統１１０に含まれる各機能について説明する。チューナ１１１は、分配器１０２により入力されたデジタル放送信号の中から、所望の１チャンネルを選択し、かつ、デジタル復調および誤り訂正を行って、ＭＰＥＧ２−ＴＳ形式の多重化信号を出力する。
【００３３】
多重分離器１１２は、チューナ１１１により入力された多重化された信号の中から、多重構造記述データ（ＭＰＥＧ２−ＰＳＩ）や圧縮映像データ（ＭＰＥＧ２−Ｖｉｄｅｏ等）や圧縮音声データ（ＭＰＥＧ２―Ａｕｄｉｏ等）を分離して出力する。
【００３４】
映像復号器１１４は、多重分離器１１２により入力された圧縮映像データを復号して、ベースバンド映像データを出力する。
【００３５】
音声復号器１１３は、多重分離機１１２により入力された圧縮音声データを復号して、ベースバンド音声データを出力する。
【００３６】
副系統に含まれる各機能について説明する。チューナ１２１は、分配器１０２により入力されたデジタル放送信号の中から、所望の１チャンネルを選択し、かつ、デジタル復調および誤り訂正を行って、ＭＰＥＧ２−ＴＳ形式の多重化信号を出力する。
【００３７】
多重分離機１２２は、チューナ１２１により入力された多重化された信号の中から、多重構造記述データ（ＭＰＥＧ２―ＰＳＩ）や圧縮映像データ（ＭＰＥＧ２−Ｖｉｄｅｏ等）や圧縮音声データ（ＭＰＥＧ２―Ａｕｄｉｏ等）を分離して出力する。
【００３８】
画像メモリ１２３は、多重分離機１２２から出力される、圧縮される自己完結型映像フレームデータを、複数チャンネル分記憶する機能を有する。
【００３９】
〔３〕受信装置の機能構成
以上、図１を参照して本実施形態にかかる受信装置１００のハードウェア構成を説明した。次に、図２を参照して、本実施形態にかかる受信装置１００の機能を説明する。
【００４０】
図２は、本実施形態にかかる受信装置１００の機能構成を示したブロック図である。図２に示したように、本実施形態にかかる受信装置１００は、第１受信部１１１、第２受信部１２１、記憶部１２３、取得部１３１、表示制御部１３２などを備える、
【００４１】
第１受信部１１１は、ユーザにより選択されている一のチャンネルに対応する圧縮動画データを受信する機能を有し、例えばチューナ１１１を例示できる。第１受信部１１１は、受信した圧縮動画データを表示制御部１３２に提供する。
【００４２】
第２受信部１２１は、複数のチャンネルに対応する自己完結型の圧縮静止画データを受信する機能を有する。ここで、自己完結型の圧縮静止画について説明する。
【００４３】
自己完結型の圧縮静止画データは、当該静止画よりも時間的に前のデータを参照することなく、このデータ単独で１フレームの映像を再現可能なデータを意味する。このような自己完結型の圧縮静止画データの例として、例えば、ＭＰＥＧ２ビデオでのＩピクチャ（Ｉｎｔｒａ  ｐｉｃｔｕｒｅ：ピクチャ内符号化ピクチャ）や、Ｈ．２６４／ＡＶＣでのＩＤＲ（Ｉｎｓｔａｎｔａｎｅｏｕｓ  Ｄｅｃｏｄｅｒ  Ｒｅｆｒｅｓｈ：デコーダ復号動作の瞬時リフレッシュ）ピクチャなどを例示できる。
【００４４】
また、ＭＰＥＧ２ビデオは、３種類のピクチャデータ(映像フレームデータ)から構成されており、上記したＩピクチャ、Ｐピクチャ（Ｐｒｅｄｉｃｔｉｖｅ  ｐｉｃｔｕｒｅ：予測符号化ピクチャ）、Ｂピクチャ（Ｂｉ−ｐｒｅｄｉｃｔｉｖｅ  Ｐｉｃｔｕｒｅ：双予測ピクチャ）が挙げられる。
【００４５】
Ｐピクチャは、片方向予測を用いた映像フレームデータであって、Ｉピクチャや前のピクチャからの動き補償予測の予測誤差により符号化されている。したがって、Ｐピクチャを再現するためには、該当するＰピクチャより前のＩピクチャ又はＰピクチャのデータが必要となる。
【００４６】
Ｂピクチャは、双方向予測を用いた映像フレームデータであって、Ｉピクチャや前後のピクチャからの動く補償予測の予測誤差により符号化されている。したがって、Ｉピクチャを再現するためには、該当するＢピクチャより前後のＩピクチャ又はＰピクチャのデータが必要となる。
【００４７】
上記のようなデータ構造は圧縮効率を上げるためには適している。しかしながら、チャンネル切換を行った場合には、切換後の最初のＩピクチャを捕捉するまで復号動作を開始することができないという欠点がある。通常、Ｉピクチャは、０．５秒周期（又はそれ以上）で挿入されるため、その周期分の待ち時間が必ず必要となる。
【００４８】
また、Ｉピクチャは自己完結型の映像フレームデータであるため、Ｉピクチャ単独で１フレーム分の映像を再現することが可能となる。
【００４９】
上記したように、第２受信部１２１は、Ｉピクチャ等の自己完結型の圧縮静止画データ（映像フレームデータ）を受信して記憶部１２３に提供している。また、第２受信部１２１は、第１受信部１１１により選択されている一のチャンネル以外のチャンネルに対応する自己完結型の圧縮静止画データを所定の周期で順次に受信するようにしてもよい。すなわち、第２受信部１２１は、チャンネル切換対象となる全チャンネルを順次スキャンして、各チャンネルの自己完結型の圧縮静止画データを受信していく。そして、受信したデータを記憶部１２３に記憶されていく。
【００５０】
記憶部１２３には、第２受信部１２１により受信された複数の自己完結型の圧縮静止画データが記憶されている。上記したように、第２受信部１２１が第１受信部１１１により選択されている一のチャンネル以外のチャンネルに対応する自己完結型の圧縮静止画データを所定の周期で順次に受信している場合には、記憶部１２３に記憶している該当チャンネルのデータが上書きされる。これにより、記憶部１２３には、各チャンネルの最新の自己完結型の圧縮静止画データが記憶されることとなる。上記した画像メモリ１２３は、記憶部１２３の一例である。
【００５１】
判定部１３０は、ユーザ入力を検出して、チャンネル切換が発生したか否かを判定する機能を有する。判定部１３０は、第１受信部１１１および取得部１３１にチャンネル切換が発生した旨を通知する。
【００５２】
取得部１３１は、判定部１３０によりユーザ操作によりチャンネル切換えが発生したと判定された場合に、チャンネル切換後のチャンネルに対応する自己完結型の圧縮静止画データを記憶部１２３から取得する機能を有する。
【００５３】
表示制御部１３２は、第１受信部１１１により受信されたチャンネル切換後のチャンネルに対応する圧縮動画データを復号して表示装置１５０に表示するまでに、取得部１３１により取得された自己完結型の圧縮静止画データを復号して表示装置１５０に表示させる機能を有する。表示制御部１３２が、上記した音声復号器１１３および映像復号器１１４として機能してもよい。
【００５４】
上記したように、受信チャンネルの切換操作からチャンネル切換後の映像が表示されるまでには２秒程度の時間がかかる。ユーザ操作によりチャンネル切換指示が検出されると、第１受信部１１１は、チャンネル切換後のチャンネルに対応する圧縮動画データを受信する。そして、当該圧縮動画データが復号されて表示装置１５０に表示されるまでに２秒程度の時間がかかる。この間に、取得部１３１はチャンネル切換後のチャンネルに該当する自己完結型の圧縮静止画データを記憶部１２３から取得して、表示制御部１３２は、当該圧縮静止画データを復号して表示装置１５０に表示する。
【００５５】
〔４〕受信装置の動作
以上、受信装置１００の機能構成について説明した。次に、図３〜図５を参照して、受信装置１００の動作の詳細について説明する。図３は、受信装置１００の動作を説明するフローチャートである。図４は、受信装置１００の主系統１１０の動作の詳細を説明するフローチャートである。図５は、受信装置１００の副系統１２０の動作の詳細を説明する説明図である。
【００５６】
まず、図３を参照して、受信装置１００の動作について説明する。図３に示したように、まず、主系統１１０の設定を行う（Ｓ１００）。次に、副系統１２０の設定を行う（Ｓ２００）。そして、ユーザ操作を検出する（Ｓ３００）。
【００５７】
ステップＳ３００におけるユーザ操作の検出とは、例えば、チャンネル切換ボタンが押下されたか、電源オフボタンが押下されたか等の検出である。ステップＳ３００において、電源オフのユーザ操作であるか否かを判定する（Ｓ４００）。
【００５８】
ステップＳ４００において、電源オフのユーザ操作である場合には、処理を終了する。一方、ステップＳ４００において、電源オフのユーザ操作ではない場合には、ステップＳ１００〜ステップＳ３００の処理を繰り返す。
【００５９】
次に、図４を参照して、主系統１１０の設定について説明する。まず、判定部１３０はチャンネル切換がなされたか否かを判定する（Ｓ１０２）。上記したように、判定部１３０は、ユーザ操作によりチャンネル切換ボタンが押下されたか否かを検出して、チャンネル切換がなされたか否かを判定する。ステップＳ１０２により、チャンネル切換がされたと判定された場合には、チューナ１１１および多重分離器１１２をチャンネル切換後の新たなチャンネルに設定する（Ｓ１０４）。ステップＳ１０４においては、新たなチャンネルに設定するとともに、当該チャンネルの圧縮映像データ及び圧縮音声データの捕捉を開始する。
【００６０】
そして、チャンネル切換後のチャンネルに対応する映像の復号が可能か否かを判定する（Ｓ１０６）。ステップＳ１０６において、チャンネル切換後のチャンネルに対応する映像の復号が可能であると判定された場合には、現在受信されている圧縮動画を復号して出力する。
【００６１】
ステップＳ１０６において、チャンネル切替後のチャンネルに対応する映像の復号が可能ではないと判定された場合には、画像メモリ１２３内に記憶されているチャンネル切替後のチャンネルに対応する圧縮静止画（Ｉピクチャ）を復号して出力する（Ｓ１１０）。
【００６２】
ステップＳ１０４において、圧縮映像データおよび圧縮音声データを捕捉するまでに２秒程度の時間を要する。ステップＳ１０６において、すでに圧縮映像データが捕捉されていれば当該圧縮データを用いて動画を出力することができる。一方、ステップＳ１０６において、まだ圧縮映像データが捕捉されていなければ、動画を出力することができず、表示装置１５０に何も表示されないこととなる。
【００６３】
このように、動画を出力することができない場合には、画像メモリ１２３に記憶されている自己完結型の圧縮静止画データを取得して、当該データを復号して出力する。これにより、表示装置１５０に動画が表示されない期間、復号された静止画が表示装置１５０に表示することができる。
【００６４】
次に、音声復号が可能か否かを判定する（Ｓ１１２）。ステップＳ１１２において、音声復号が可能であると判定された場合には、現在受信している圧縮音声を復号して出力する（Ｓ１１４）。ステップＳ１１２において、まだ音声復号かできない場合には、ミュートする（Ｓ１１６）。以上、主系統１１０の設定について説明した。
【００６５】
次に、図５を参照して、副系統１２０の設定について説明する。まず、第２受信部１２１（チューナ１２１）により自己完結型の圧縮静止画データ（Ｉピクチャ）が捕捉されたか否かを判定する（Ｓ２０２）。
【００６６】
ステップＳ２０２において、Ｉピクチャが捕捉されたと判定された場合には、捕捉したＩピクチャを記憶部（画像メモリ）１２３に記憶されている当該チャンネルのＩピクチャに上書きする（Ｓ２０４）。
【００６７】
そして、副系統１２０のチューナ１２１および多重分離器１２２を新たなチャンネルに設定する（Ｓ２０６）。このように、副系統１２０においては、主系統１１０において受信しているチャンネル以外のチャンネルのＩピクチャを捕捉して記憶部１２３に記憶する。副系統１２０のチューナ１２１および多重分離器１２２は、受信可能なすべてのチャンネルのＩピクチャを順次捕捉して記憶部１２３に記憶していく。捕捉されたＩピクチャがすでに記憶部１２３に記憶されている場合には、記憶部１２３に記憶されている該当Ｉピクチャが上書きされる。以上、副系統１２０の設定について説明した。
【００６８】
本実施形態にかかる受信装置１００によれば、第１受信部１１１によりユーザにより選択されている一のチャンネルに対応する圧縮動画データが受信され、第２受信部により複数のチャンネルに対応する自己完結型の圧縮静止画データ（Ｉピクチャ等）が受信されて記憶部１２３に記憶される。そして、判定部１３０によりユーザによりチャンネル切換が発生したと判定された場合に、チャンネル切換後のチャンネルに対応する自己完結型の圧縮静止画データを記憶部１２３から取得する。第１受信部１１１により受信されたチャンネル切換後のチャンネルに対応する圧縮動画データを復号して表示装置１５０に表示するまでに、取得部１３１により取得された自己完結型の圧縮静止画データを復号して表示装置１５０に表示させる。
【００６９】
これにより、自己完結型の圧縮静止画データを用いて擬似的な高速チャンネル切換を実現することが可能となる。例えば、デジタル放送受信では、チャンネル切換後、動画が表示されるまでに２秒程度かかるが、この間に事前に記憶しておいた当該チャンネルの静止画を即時表示する。これにより、素早いチャンネル切換操作を連続して行っても、予め記憶されている静止画データを表示してチャンネル切換後の放送内容の映像が把握できるようになる。
【００７０】
例えば、チャンネルの数だけチューナを搭載して切り替える方法も考えられるが、多数のチューナを搭載することによりコストが増大する。本実施形態では、副チューナを１つ追加するだけで、素早いチャンネル切換操作でもチャンネル切換後の映像を把握することが可能となる。したがって、本実施形態では、実際にチャンネル切換後の動画が表示されるまでに静止画を表示して、擬似的に高速チャンネル切換を実現する。これにより、チャンネル切換時に映像が表示されないことによりユーザが感じるストレスを低減することが可能となる。
【００７１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００７２】
【図１】本発明の一実施形態にかかる受信装置のハードウェア構成を示すブロック図である。
【図２】同実施形態にかかる受信装置の機能構成を示したブロック図である。
【図３】同実施形態にかかる受信装置の動作を説明するフローチャートである。
【図４】同実施形態にかかる受信装置の主系統の動作の詳細を説明するフローチャートである。
【図５】同実施形態にかかる受信装置の副系統の動作の詳細を説明するフローチャートである。
【符号の説明】
【００７３】
１００    受信装置
１０２    分配器
１０４    マイクロコンピュータ
１１０    主系統
１１１    チューナ、第１受信部
１１２    多重分離器
１１３    音声復号器
１１４    映像復号器
１２０    副系統
１２１    チューナ、第２受信部
１２２    多重分離器
１２３    画像メモリ、記憶部
１３０    判定部
１３１    取得部
１３２    表示制御部
１５０    表示装置
【図１】
2010050644.tif 000003
【図２】
2010050644.tif 000004
【図３】
2010050644.tif 000005
【図４】
2010050644.tif 000006
【図５】
2010050644.tif 000007